(57)【要約】      （修正有）【課題】石膏ボード又は発砲コンクリートの壁面又は天井面にケーブル配線工事をケーブル保持部材と固定具を用いて、固定部を打ち込むことで被固定部材に固定する構造の固定具付ケーブルクリップを提供する。【解決手段】ホットメルト形接着剤又は反応性ホットメルト形接着剤３を釘の胴部より先端部１２に溶解し、塗布した固定具２又はステップルの両脚部に溶解し、塗布した固定具２をケーブルクリップＡの片端又は両端に装着した、固定具付ケーブルクリップＡを用いて、前記固定具付ケーブルクリップの保持部４で同軸ケーブル１５、ＬＡＮケーブル及び電気配線工事等のケーブルを保持しながら、石膏ボード、発砲コンクリート及び木材の壁面又は天井面等の被固定部材に打ち込むのみで引抜力に対し、強い摩擦力を維持することができ、壁面、天井面等の配線作業効率を高めることができる。【選択図】図４
0003213746.tif 000002
【実用新案登録請求の範囲】
【請求項１】
釘の首部又は胴部より先端部にかけてホットメルト形接着剤又は反応性ホットメルト形接着剤を溶解し、塗布したことを特徴とする固定具。
【請求項２】
請求項１記載の固定具と配線ケーブルを保持するＵ字状の保持部を形成し、片側に取付片を備えたケーブルクリップを用いて、前記取付片に挿入孔を設け、前記挿入孔に前記固定具の先端部を挿入し、装着したことを特徴とする固定具付ケーブルクリップ。
【請求項３】
金属線をＵ字状に形成し、前記Ｕ字状の頭部と連接された両脚部にホットメルト形接着剤又は反応性ホットメルト形接着剤を溶解し、塗布したことを特徴とする固定具。
【請求項４】
請求項３記載の固定具と配線ケーブルを保持するＵ字状の保持部を形成し、両端に取付片を設けたケーブルクリップを用いて、前記取付片に挿通孔を設け、前記挿通孔に前記固定具の両脚部を挿入し、装着したことを特徴とする固定具付ケーブルクリップ。
【考案の詳細な説明】
【技術分野】
【０００１】
本考案は、電気配線工事、同軸ケーブル等を石膏ボード、発砲コンクリート（以後ＡＬＣと記載する）、木材等の壁面の配線工事において、容易に固定するステップルに関するものである。
【背景技術】
【０００２】
従来、同軸ケーブル、又は電気配線等のケーブル工事において外壁、内壁又は天井面等の被固定材に固定材のクリップ、サドル等に釘、木ネジを用いて、又はステップルを用いて取付固定するものができるが、固定材を用いて同軸ケーブル等の配線ケーブルの取付固定するとき、釘頭部を金槌で打ち続けるか、又はネジ止めをするが、釘胴部、木ネジのネジ溝が石膏ボード内、又はＡＬＣ内の素材を崩しながら挿入されることから石膏ボード内、又はＡＬＣ内の素材と密着せず、引抜強度が弱く同軸ケーブル等を取付固定することが困難である。
そこで、補助材を用いて作業をしなければならず作業効率が悪いものである。
【０００３】
そこで、石膏ボードの配線工事の固定具でステップルの脚部に針状部に複数の返し部が設けられているものが提供されている（例えば特許文献１参照）。
【０００４】
また、逆Ｕ字状のＵ字形釘と、Ｕ字形釘に装着される配線保持部材とを備え、Ｕ字形釘を被固定部に打ちつけて配線保持部材を介して配線を保持する配線保持具において、配線保持部材には、両側にＵ字形釘を挿入するための釘孔を設けた釘挿入部と、配線を収容するための保持用凹部が設けられ、配線と配線保持部材の上面を覆う押え蓋部がヒンジ部を介して開閉可能に配線保持部材と一体に設けられたこと提供されている（例えば特許文献２参照）。
【先行技術文献】
【特許文献】
【０００５】
【特許文献１】実開昭５２−１０４５２０号広報
【特許文献２】特開２００３−２７０４５１号広報
【考案の概要】
【考案が解決しようとする課題】
【０００６】
しかしながら、特許文献１の考案では電線を保持しながら打ち続けるときに電線を傷つけやすい、またステープルで同軸ケーブルを打ち続け固定をすることは同軸ケーブルの構造を傷めることから向かない、さらにＡＬＣ面に打ち込においてＡＬＣ内の素材を壊すと同時に複数の針状部を変形し引抜力が弱くＡＬＣ面に取付固定に難がある。
【０００７】
また、特許文献２の発明では被固定材が木材などの釘、木ネジに用いて強い引抜力を維持することができるが、被固定材が天井、壁面が石膏ボード、また外壁等が発砲コンクリート（以後、ＡＬＣと記載）であると釘、木ネジは引抜力が極めて弱く同軸ケーブル、電気配線ケーブルの固定ができず連続的な配線作業において効率が悪いものである。
【課題を解決するための手段】
【０００８】
そこで本考案は、上記の課題になされたもので、釘の脚部に弾力性を有するホットメルト形接着剤又は反応性ホットメルト形接着剤を溶解し、塗布した固定具、当該固定具をケーブル用サドル、ケーブルクリップなどに用いて石膏ボード面、ＡＬＣ面、又は木材などの面に打ち、同軸ケーブル、又は配線ケーブルを取付固定する固定具付ケーブルクリップを提供することを目的としている。
【０００９】
上記の目的を達成するために、本考案は釘の首部又は胴部より先端部にかけてホットメルト形接着剤又は反応性ホットメルト形接着剤を溶解し、塗布したことを特徴とする。
【００１０】
前記（０００９）記載の固定具と配線ケーブルを保持するＵ字状の保持部を形成し、片側に取付片を備えたケーブルクリップを用いて、前記取付片に挿入孔を設け、前記挿入孔に前記固定具の先端部を挿入し、装着したことを特徴とする。
【００１１】
金属線をＵ字状に形成し、前記Ｕ字状の頭部と連接された両脚部にホットメルト形接着剤又は反応性ホットメルト形接着剤を溶解し、塗布したことを特徴とする。
【００１２】
前記（００１１）記載の固定具と配線ケーブルを保持するＵ字状の保持部を形成し、両端に取付片を設けたケーブルクリップを用いて、前記取付片に挿通孔を設け、前記挿通孔に前記固定具の両脚部を挿入し、装着したことを特徴とする。
【考案の効果】
【００１３】
以上の説明から明らかのように、本考案にあってはつぎに列挙する効果が得られる。
【００１４】
本考案の釘型の固定具又はステップル型の固定具を用いて、木材面むろんの如く、石膏ボード面及びＡＬＣ面にカレンダー、時計等様々な物を吊り下げ具として利用でき、さらにボード板等を容易に取付し、引抜力の抵抗力が高く、強い抜け止め効果をとなることで、安定した状態を保つことができる。
【００１５】
本考案の固定具を装着し、ケーブル保持部を形成したケーブルクリップを用いることで、従来の釘又は木ネジでは直接に石膏ボード面及びＡＬＣ面を取付てきないこと面について、同軸ケーブル、Ｆケーブル及びＬＡＮケーブル等を固定具付ケーブルクリップの保持部で保持しながら木材面むろんの如く、石膏ボード面及びＡＬＣ面にケーブルクリップに装着した固定具を打ち込むだけで、容易に取付強度は高く保持することができ、作業効率を高めることができる。
【００１６】
また、金属線にホットメルト形接着剤又は反応性ホットメルト形接着剤の溶解し、塗布し乾燥が早く、製造は容易である特徴がある。
【図面の簡単な説明】
【００１７】
【図１】本考案の第一実施例の形態の釘型の固定具の図で、ａ）図は固定具の正面図、ｂ）図は縦断面図、ｃ）図はａ）図のＸ−Ｙにおける断面図である。
【図２】本考案の固定具を石膏ボード又はＡＬＣに打ち込み状態の縦断面図である。
【図３】本考案の第二実施例の形態で図１の固定具と片側取付片のケーブルクリップとの正面図である。
【図４】第二実施例の形態でケーブルクリップの挿通孔に固定具を先端より挿入した斜視図である。
【図５】第二実施例の形態で図3，図4のケーブルクリップで同軸ケーブルを石膏ボードに止着する工程の正面図、d）図は固定具付ケーブルクリップにケーブルを収める図、ｅ）図はケーブルクリップにケーブルを保持し石膏ボード面に接した状態、ｆ）図は固定具を石膏ボード面に打ち込んだ状態の図である。
【図６】第二実施例の形態で釘型の固定具をケーブルクリップの傾斜挿通孔より石膏ボード面に打ち込む正面図である。
【図７】第二実施例の形態でｇ）図はＦケーブル用片サドルを用いて石膏ボード面に打ち込む正面図、ｈ）図は両サドルにＣＶケーブルを保持し両取付片の固定具を石膏ボード面に打ち込む正面図である。
【図８】本考案の第三実施例の形態のステップル型固定具の図でｉ）図は金属線をＵ字状に形成したステップル型固定具の正面図、ｊ）図は縦断面図である。
【図９】本考案の第四実施例の形態でステップル型固定具の先端をケーブルクリップの両取付片の挿通孔に挿入する斜視図である。
【図１０】第四実施例の形態でステップル型固定具をＦケーブルクリップに装着したステップル型固定具付ケーブルクリップにＦケーブルを保持した正面図である。
【図１１】第四実施例の形態でテップル型固定具付ケーブルクリップにＦケーブルを保持して石膏ボード面に打ち込んだ正面図である。
【考案を実施するための形態】
【００１８】
本考案の実施例の形態について図面を参照して説明する。
【００１９】
本考案の第一実施例の形態について、図１、図２を参照して説明する。
図１は本考案の第一実施例の形態の釘型の固定具の図で、ａ）図は固定具の正面図、ｂ）図は釘の金属部の表面にホットメルト形接着剤又は反応性ホットメルト形接着剤を塗布した縦断面図、ｃ）図はａ）図のＸ−Ｙにおける断面図である。
図２は本考案の固定具を石膏ボード又はＡＬＣに打ち込み石膏ボード内及びＡＬＣ内の状態の縦断面図である。
【００２０】
図１、図２に示すが如く、釘Ｂの形状で９は釘の頭部、１０は首部、１１は胴部でその先端部１２の形状で首部１０付近から先端部１２にかけてホットメルト形接着剤又は反応性ホットメルト形接着剤３を溶解し、塗布した釘Ｂ型の固定具２である。
【００２１】
上記の構成により第一実施例の説明をする。
【００２２】
したがって、固定具２の先端部１２を石膏ボード面又はＡＬＣ面に接し、頭部９を金槌等で打ち石膏ボード内又はＡＬＣ内に打ち込む、
よって、図２のように打ち込まれながら釘Ｂに塗布したホットメルト形接着剤又は反応性ホットメルト形接着剤３の周囲、表面は石膏ボード内又はＡＬＣ内の素材と接しながら剥がれたりし、粗雑面となり、さらにホットメルト形接着剤又は反応性ホットメルト形接着剤３の弾力性と密接し高い接触抵抗力となり、強い抜け止め効果をとなる。
【００２３】
また、ホットメルト接着剤は耐熱性に欠けることから、再加熱にたいし溶解しないことで耐熱性に優れている反応性ホットメルト接着剤を用いて釘Ｂの首部１０より胴部１１、先端部１２にかけて溶解して塗布し形成をすることで止着面が高温の壁面及び天井面等に利用ができ優れた釘Ｂ型の固定具２となるものである。
【００２４】
また、本考案の第二実施例の形態について、図３ないし図７を参照して説明する。
図３は本考案の第一実施例記載釘Ｂ型の固定具と片側取付片のケーブルクリップとの正面図である。
図４は第二実施例の形態でケーブルクリップの挿通孔に釘Ｂ型の固定具を先端より挿入した斜視図である。
図５は第二実施例の形態で図３、図４のケーブルクリップで同軸ケーブルを石膏ボード１３に止着する工程の正面図、ｄ）図は固定具付ケーブルクリップＡにケーブルを収める図、ｅ）図は固定具付ケーブルクリップＡにケーブルを保持し石膏ボード面に接した状態、ｆ）図は固定具付ケーブルクリップＡの釘Ｂ型の固定具２を石膏ボード１３面に打ち込こみ、石膏ボード１３内の先端部１２より胴部１１の状態を点線で表した図である。
図６は第二実施例の形態で釘Ｂ型の固定具２をケーブルクリップ１取付片の傾斜挿通孔７より石膏ボード１３面に打ち込こみ、石膏ボード１３内の先端部１２より胴部１１の状態を点線で表した正面図である。
図７は第二実施例の形態でｇ）図は図３ないし図６と異なるケーブルクリップの形状で、Ｆケーブル用片サドルを用いて釘Ｂ型の固定具２を石膏ボード１３面に打ち込こみ、石膏ボード１３内の先端部１２より胴部１１の状態を点線で表した正面図、ｈ）図は両サドルにＣＶケーブルを保持し両取付片の釘Ｂ型の固定具２を石膏ボー１３ド面に打ち込こみ、石膏ボード１３内の先端部１２より胴部１１の状態を点線で表した正面図である。
【００２５】
図３ないし図７に示す如く、１はケーブル保持部がＵ字状で同軸ケーブル等を保持するケーブルクリップ、１ＡはＦケーブル等を保持する目的としたケーブル用片サドル及び１ＢはＣＶケーブル、配管等を保持を目的とした両サドルでＬＡＮケーブル、アンテナケーブル又は電気配線等を保持し止着する、２は第一実施例記載の釘Ｂ型の固定具、３は釘Ｂの釘型の固定具２の首部１０付近より胴部１１、先端部１２にかけて溶解し、塗布したホットメルト形接着剤である。
４はケーブルをＵ字状の保持する部分、５は取付片上部、８は取付片下部で取付片上部５より取付片下部８にかけて釘Ｂ型の固定具２を挿入する垂直挿通孔６と傾斜挿通孔７を設ける、
また、９は釘型の固定具の頭部、１３は石膏ボードである。
【００２６】
図３ないし図６の固定具付ケーブルクリップＡについて、ケーブル保持部４に同軸ケーブル１５、ＬＡＮケーブル及び電気配線工事等に用いる配線ケーブルをＵ字状の保持部４で保持し、壁面、天井面に打ち付け、止着のケーブルクリップ１において、当該ケーブルクリップ１の取付上部５に設けた垂直挿通孔６又は傾斜挿通孔７に固定具２を先端部１２より挿入した状態の固定具付ケーブルクリップＡ。
ここで、釘Ｂ型の固定具２は第一実施例記載で示した如く、接着剤のホットメルト形接着剤又は反応性ホットメルト形接着剤３を溶解し、溶解したホットメルト形接着剤又は反応性ホットメルト形接着剤３を用いて、頭部９を有する釘Ｂの首部９付近より先端部１２にかけて、塗布し形成である。
また、ケーブルクリップ１の取付片上部５より取付片下部８にかけて設けた垂直挿通孔６又は傾斜挿通孔７に固定具２の先端より中ほどまで挿入して装着する、挿入にあたり垂直挿通孔６に挿入か、傾斜挿通孔７に挿入してもよく、夫々作業状況によって使い分けることができる。
【００２７】
上記の構成により第二実施例の説明をする。
【００２８】
したがって、図３ないし図６に示す石膏ボード１３の壁面に同軸ケーブル１５の配線工事において、図４、及び図５のｄ）図、ｅ）図、ｆ）図に示すように固定具付ケーブルクリップＡの取付片上部５の垂直挿通孔６に固定具２の先端部１２より挿入し、Ｕ字状ケーブル保持部４に同軸ケーブル１５を保持し、石膏ボード１３の壁面に図５のｅ）図、ｆ）図のように固定具付ケーブルクリップＡの取付片下部８の面を石膏ボード面１３の面に接し、固定具２の頭部９を打ち続けて、固定具２の先端部１２から胴部１１を石膏ボード内に打ち込むと先端部１２と胴部１１に、塗布したホットメルト形接着剤３は石膏ボード１３内のホットメルト形接着剤３の表面は剥がれ、弾力を有しながら石膏ボード内の素材と接した状態となり、打ち込まれた石膏ボード１３内の素材と接し摩擦力が高くなり、固定具２の止着力の抵抗が増大し、固定具２の引抜に対し通常の釘より止着力が高いものである、よって石膏ボード１３面の配線が容易にできる作業となる。
【００２９】
なお、固定具付ケーブルクリップＡを石膏ボード１３とともにＡＬＣ面の配線工事においても強い止着力を発揮し、固定具付ケーブルクリップＡの固定具２をＡＬＣ面に打ち込むと石膏ボード１３面よりＡＬＣ面での止着力は強く抜けにくい効果となるものである。
【００３０】
また、木材等に打ち込むことは無論のこと引き抜き強度は高抵抗効果である。
【００３１】
また、図６は第二実施例の形態で固定具付ケーブルクリップＡの取付片上部５から取付片下部８にかけて設けた傾斜挿通孔７に固定具２を先端部１２より挿入し石膏ボード１３面又はＡＬＣ面に打ち込む正面図である。
よって、固定具２は石膏ボード１３内又はＡＬＣ内に傾斜状に固定具２の先端部１２より胴部１１が打ち込むことで、石膏ボード１３内にＡＬＣ内に傾斜に打ち込まれることで、固定具付ケーブルクリップＡの上への引抜力に対して抵抗力が高くなるとともに、塗布したホットメルト形接着剤又は反応性ホットメルト形接着剤の引き抜きに対する抵抗力との相乗効果により面に対する止着が極めて強く配線工事となる、特に天井面に対しての配線工事に効果を発揮するものである。
【００３２】
また、図７は第二実施例の形態でｇ）図は固定具付Ｆケーブル片サドル１Ａを用いて石膏ボード１３面に打ち込む正面図、ｈ）図は固定具付両サドルにＣＶケーブル１７を保持し両取付片に固定具を石膏ボード１３面に打ち込む正面図である。
【００３３】
図７のｇ）図、ｈ）図に示す前記（図３ないし図６記載）の固定具付ケーブルクリップＡの形状の異なる固定具付ケーブルクリップＡにおいて、図７のｇ）図は配線用Ｆケーブル１６をケーブル用片サドル１Ｃの内側で保持し壁面等に止着する配線工事用のサドルにサドルの一端の取付片に垂直挿通孔６と傾斜挿通孔７を設けて、垂直挿通孔６に固定具２を挿入し、打ち込み止着する固定具付ケーブル片サドルＡである。
また、図７のｈ）図は配管材又はＣＶケーブル１７等の配線工事に用いる両端に取付片を設けた両サドル１Ｂ、両サドル１Ｂの取付片に垂直挿通孔６と傾斜挿通孔７を設けた固定具付両サドル、当該固定具付両サドルの一方の取付片端に垂直挿通孔６に固定具２を挿入し、もう一方取付片端に傾斜挿通孔７に固定具２を挿入し、夫々を打ち付け両サドル１Ｂを石膏ボード面１３に止着することで、引抜力に対し不均衡に力が働くことで設置面から抜けにくくなるとともに、固定具２の止着力強さと合わせ持ち非常に高い止着の抵抗力となる。
【００３４】
また、本考案の第三実施例の形態について、図８を参照して説明する。
図８は本考案の第三実施例の形態のステップル型固定具の図でｉ）図は金属線をＵ字状に形成したステップルＣの脚部にホットメルト形接着剤又は反応性ホットメルト形接着剤３1を溶解し、塗布したステップル型固定具の正面図、ｊ）図は縦断面図である。
【００３５】
図８に示すが如く、金属線をＵ字状に形成したステップルＣの両脚部１４の脚部から先端部１２１にかけてホットメルト形接着剤又は反応性ホットメルト形接着剤３１を溶解し、塗布したステップル型固定具２１である。
【００３６】
上記の構成により第三実施例の説明をする。
【００３７】
したがって、ステップル型固定具２１の先端部１２１を石膏ボード１３面又はＡＬＣ面に接し、頭部９１を金槌等で打ち石膏ボード１３内又はＡＬＣ内に打ち込む、よって図１１に示すように、ステップル型固定具２１の両脚部１４が石膏ボード１３内又はＡＬＣ内に打ち込まれるとステップル型固定具２１の両脚部１４と先端部１２１に塗布したホットメルト形接着剤又は反応性ホットメルト形接着剤３１の周囲、表面は石膏ボード１３内又はＡＬＣ内の素材と接しながら剥がれたりし、粗雑面となり、さらにホットメルト形接着剤又は反応性ホットメルト形接着剤３１の弾力性と密接し高い接触抵抗力となり、両脚部１４すなわち２本の脚部により強い抜け止め効果をとなる。
【００３８】
また、本考案の第四実施例の形態について、図９ないし図１１を参照して説明する。
図９は本考案の第四実施例の形態で前記（００３７）記載のステップル型固定具２１の先端部１２１をケーブルクリップの両取付片に設けた垂直挿通孔６の挿通孔に挿入する斜視図である。
図１０は第四実施例の形態でステップル型固定具２１をＦケーブルクリップに装着したテップル型固定具付ケーブルクリップＡにＦケーブルを保持した正面図である。
図１１は第四実施例の形態でテップル型固定具付ケーブルクリップＡにＦケーブルを保持して石膏ボード面に打ち込こみ、石膏ボード１３内の両脚部１４の状態を点線で表した正面図である。
【００３９】
図９ないし図１１に示すが如く、図９より第三実施例記載のステップル型固定具２１を用いて、Ｆケーブル等の配線材を保持するＦケーブルクリップ１Ｃの両端のステップル取付片５１に垂直挿通孔６を設ける、
よって、ステップル取付片５１の垂直挿通孔６にステップル型固定具２１の両脚部１４を挿入した固定具付ケーブルクリップＡ。
【００４０】
上記の構成により第四実施例の説明をする。
【００４１】
したがって、石膏ボード１３又はＡＬＣ面又は木材面などの壁面にＦケーブル１６の配線工事において、図１０、図１１よりステップル型固定具２１をＦケーブルクリップ１Ｃに装着し、Ｆケーブル１６をＦケーブルクリップ１ＣのＵ字状のケーブル保持部４で保持しながら石膏ボード１３又はＡＬＣ面又は木材面などにステップル型固定具２１の先端部１２１に接し、ステップルＣの頭部９１を金槌で打ち込み壁面又は天井面にＦケーブル１６を止着する、
石膏ボード面１３又はＡＬＣ面より打ち込まれる状態は、図１１に示すように石膏ボード１３内又はＡＬＣ内に打ち込まれた先端部１２１及び両脚部１４に塗布したホットメルト形接着剤３１又は反応性ホットメルト形接着剤の周囲の表面は部分的に剥がれ、変形し粗雑面となり、さらにホットメルト形接着剤３１又は反応性ホットメルト形接着剤の弾力を有して、石膏ボード１３内又はＡＬＣ内の素材と密接に接することで接触抵抗力が高くなり、石膏ボード１３面又はＡＬＣ面に強い止着力となり、安定した状態でケーブル配線工事により効率を高めることができる。
【００４２】
また、ホットメルト接着剤３１は耐熱性に欠けることから、再加熱にたいし溶解しないことで耐熱性に優れている反応性ホットメルト接着剤を用いて両脚部１４より先端部１２１に溶解して塗布し形成をすることで止着面が高温の壁面及び天井面等に利用ができ優れた固定具２となるものである。
【００４３】
なお、ホットメルト形接着剤３１又は反応性ホットメルト接着剤とは別に、前記釘Ｂの首部１０また胴部１１より先端部１２又はステップルＣの先端部１２１より両脚部１４にかけて塗布する接着剤に合成樹脂系のエラストマー系接着剤又は熱硬化性樹脂系接着剤を用いて塗着し、形成した固定具付ケーブルクリップ。
【００４４】
なお、上記した本考案のステップル型固定具２１を同様にＡＬＣ面に打ち込むと石膏ボード１３面に打ち込みと同様に作用をし、止着力は石膏ボード１３面よりＡＬＣ面の止着力が非常に強く、より引抜力の抵抗は高抵抗力となるものである。
【符号の説明】
【００４５】
Ａは固定具付ケーブルクリップ
Ｂは釘
Ｃはステップル
１はケーブルクリップ
１Ａはケーブル用片サドル
１Ｂは両サドル
１ＣはＦケーブルクリップ
２は釘型の固定具
２１はステップル型固定具
３、３１はホットメルト接着剤又は反応性ホットメルト接着剤
４はＵ字状のケーブル保持部
５、５Ａ、５Ｂは取付片上部
５１はステップル型固定具取付片
６は垂直挿通孔
７は傾斜挿通孔
８は取付片下部
９は釘型の頭部
９１はステップル型固定具の頭部
１０は釘型の首部
１１は釘型の胴部
１２は先端部
１２１はステップル型固定具の先端部
１３は石膏ボード
１４は両脚部
１５は同軸ケーブル
１６はＦケーブル
１７はＣＶケーブル
【図１】
0003213746.tif 000003
【図２】
0003213746.tif 000004
【図３】
0003213746.tif 000005
【図４】
0003213746.tif 000006
【図５】
0003213746.tif 000007
【図６】
0003213746.tif 000008
【図７】
0003213746.tif 000009
【図８】
0003213746.tif 000010
【図９】
0003213746.tif 000011
【図１０】
0003213746.tif 000012
【図１１】
0003213746.tif 000013